(57)【要約】      （修正有）【課題】フードコートの店舗や社員食堂などの卓上に、市販の除菌スプレー容器を安定して配置することができ、盗難を抑止することができる除菌スプレー容器のケースを提供する。【解決手段】底面が閉鎖され上面が解放された円筒形のベース部１１と、底面・上面ともに解放された円筒形のカバー部１３から成る除菌スプレー容器のケース１であって、ケース全体の背丈は収納する除菌スプレー容器２の背丈より低いが、容器の大部分を被覆する。ベース部１１の底面の裏面には、粘着材が付設される。容器の安定性と盗難抑止が担保され、フードコートの店舗や社員食堂などにおいて、衛生上問題があるダスターを使用せず、除菌スプレーによる卓上清掃が可能となる。【選択図】図３
0003226985.tif 000002
【実用新案登録請求の範囲】
【請求項１】
卓上に設置する除菌スプレー容器のケースであって、
底面が閉鎖され上面が解放された円筒形のベース部と、
底面・上面ともに解放された円筒形のカバー部と、
から成り、前記ケース全体の背丈は収納する除菌スプレー容器の背丈より低いことを特徴とする除菌スプレー容器のケース。
【請求項２】
前記ベース部の前記底面の裏面には、粘着材が着設されていることを特徴とする請求項１記載の除菌スプレー容器のケース。
【考案の詳細な説明】
【技術分野】
【０００１】
本考案は、卓上に配置する除菌スプレー容器のケースに関する。
【背景技術】
【０００２】
現在、様々な施設のフードコートの店舗や社員食堂などでは、客がセルフで卓上の汚れを清掃する場合、テーブル上にダスターと呼ばれる布を配置して、客に使用させている店舗が多い。
【０００３】
一方で、市場では、卓上用の除菌スプレーが市販されている。
【考案の概要】
【考案が解決しようとする課題】
【０００４】
フードコートの店舗や社員食堂などで使用されているダスターは、洗浄して再使用されているが、何度も繰り返し使うことは衛生上良くない。また、使用するたびに管理者が洗浄することは、管理者の負担が大きい。さらに、一回ごとに洗浄したとしても、水分を含んだ状態で長時間放置しておくと、雑菌が繁殖することもある。そのため、利用者によっては使用をためらうこともある。
【０００５】
これらの問題は、市販の卓上用スプレーを使用することにより解決できるが、現在市販されている卓上用スプレーは、一般家庭での利用を前提としているため、そのまま店舗の卓上に置いて使用すると、転倒や盗難のリスクがある。
【０００６】
上述の問題を解決すべく、本考案においては、フードコートの店舗や社員食堂などの卓上に、市販の除菌スプレー容器を安定して配置することを可能とし、盗難を抑止することができる除菌スプレー容器のケースを提供することを課題とする。
【課題を解決するための手段】
【０００７】
上記課題を解決するために、請求項１の除菌スプレー容器のケースは、卓上に設置する除菌スプレー容器のケースであって、底面が閉鎖され上面が解放された円筒形のベース部と、底面・上面ともに解放された円筒形のカバー部から成り、前記ケース全体の背丈は収納する除菌スプレー容器の背丈より低いことを特徴とする。
【０００８】
請求項２の除菌スプレー容器のケースは、請求項１記載の除菌スプレー容器のケースであって、前記ベース部の前記底面の裏面には、粘着材が着設されていることを特徴とする。
【考案の効果】
【０００９】
本考案の除菌スプレー容器のケースの底面にはゲル状の粘着材が着設されているため、本ケースをフードコートの店舗や社員食堂などで使用することにより、市販の除菌スプレー容器を、卓上に安定的に配置することが可能となる。
【００１０】
本考案の除菌スプレー容器のケースの底面に着設されているゲル状の粘着材によりケース設置面がテーブルに固定されること、また、本ケースにより容器本体の大部分が被覆されるため、除菌スプレー容器の盗難を抑止することができる。
【００１１】
本考案の除菌スプレー容器のケースを使用することにより、容器の安定性と盗難抑止が担保されるため、店舗など不特定多数の人が利用する場所で、衛生面で問題があるダスターに代わり、衛生的な除菌スプレーによる卓上清掃が可能となる。
【図面の簡単な説明】
【００１２】
【図１】本ケースの使用状態を示す写真である。
【図２】本ケースの部品構成を示す写真である。
【図３】本ケースへの容器の組み入れの順序と、各部品との位置関係を示す写真である。
【図４】本ケースのベース部底面の裏面を示す写真である。
【考案を実施するための形態】
【００１３】
本実施形態の除菌スプレー容器のケース（以降、単に「本ケース」という。）について写真を用いて説明する。本ケースは請求項２に記載の除菌スプレー容器のケースである。
【００１４】
本ケース１は、主として客・利用者がセルフで使用する、プラスチック製の除菌スプレー容器のケースであって、フードコートの店舗や社員食堂等における使用を想定している。図１は、市販の除菌スプレー容器２を本ケース１に収納して、卓上に配置した状態を示す写真である。本実施形態においては、本ケース１に収納する除菌スプレー容器は、掌の鉛直下方向への押圧によりポンプが作動し、消毒液が上方へ噴出するタイプのものを対象としているが、これとは別に、液が横方向や下方向に噴出するタイプのものを収納することも可能である。いずれのタイプにおいても、押圧時に容器の押圧部や噴出口がケース１に引っかからないよう、ケース１全体の背丈は、収納する除菌スプレー容器２の背丈より低い構成となっている。
【００１５】
図２に示すように、本ケース１は、ケース下部を構成する円筒形のベース部１１と、ケース上部を構成する同じく円筒形のカバー部１３より成る。
【００１６】
ベース部１１は上面が解放され、底面が閉鎖されている。また、底面１１１にはゲル状の粘着材１１２が付設され、使用前はシートにより保護されている（図４）。ケース１を最初に使用するときに、シートをはがして、卓上に固定する。これにより、除菌スプレー容器２の盗難が抑止される。底面１１１は粘着剤により完全に固着されるわけではなく、ベース部１１を設置面から剥がして別の場所に移動させることも可能である。
【００１７】
カバー部１３は、底面・上面ともに解放され、容器上部を覆う構成となっている。カバー部１３は、スプレー使用時の安定性を補完するとともに、容器２をケースから抜き出す行為を抑制する効果も有する。
【００１８】
図３は、容器２の本ケース１への組み入れの順序と各部品との位置関係を示す。容器の収納に際しては、まず、ベース部底面裏のシートをはがし、ベース部１１を卓上に固定する。次に容器２をベース部１１に挿入する。最後に、上方からカバー部１３を容器２に被せる。このとき、カバー部１３の下端がベース部１１の上端に嵌合する形で、カバー部１３がベース部１１に固定される。また、シートをはがしてケース１をテーブルに固定するのは、容器２を組み入れた後に行ってもよい。
【００１９】
上述の構成により、容器の安定性と盗難抑止が担保され、衛生上問題があるダスターを使用せずに、除菌スプレーによる卓上清掃が可能となる。
【符号の説明】
【００２０】
１      ケース
１１    ベース部
１１１  底面
１１２  粘着材
１３    カバー部
２      除菌スプレー容器
【図１】
0003226985.tif 000003
【図２】
0003226985.tif 000004
【図３】
0003226985.tif 000005
【図４】
0003226985.tif 000006